(57)【要約】乾燥時間を短縮する液体硬質表面洗浄組成物の必要性は、非イオン性モノマー単位、低レベルのカチオン性モノマー単位、及びその他の任意モノマーを含むコポリマーを使用して当該組成物を処方することによって満たされる。【特許請求の範囲】
【請求項１】
コポリマーを含む硬質表面洗浄組成物であって、
ａ）０．１〜２５重量％の界面活性剤と、
ｂ）ｉ．６０〜９９重量％の、少なくとも１つの式Ｉのモノエチレン性不飽和ポリアルキレンオキシドモノマー（モノマーＡ）
【化１】
2019513863.tif 000008
（式中、変数は以下の意味を有する：
Ｙが−Ｏ−である場合、Ｘは、−ＣＨ２−又は−ＣＯ−であり、
Ｙが−ＮＨ−である場合、Ｘは−ＣＯ−であり、
Ｙは、−Ｏ−又は−ＮＨ−であり、
Ｒ１は、水素又はメチルであり、
Ｒ２は、同一であるか又は異なるＣ２〜Ｃ６アルキレンラジカルであり、
Ｒ３は、Ｈ又はＣ１〜Ｃ４アルキルであり、
ｎは、５〜１００の整数である）
ｉｉ．１〜４０重量％の、式ＩＩａ〜ＩＩｃのモノマーのうちの少なくとも１つからなる群から選択される、少なくとも１つの四級化窒素含有モノマー（モノマーＢ）
【化２】
2019513863.tif 000009
（式中、変数は以下の意味を有する：
Ｒは、Ｃ１〜Ｃ４アルキル又はベンジルであり；
Ｒ’は、水素又はメチルであり；
Ｙ−ＮＨ−；
Ａは、Ｃ１〜Ｃ６アルキレンであり；
Ｘ−は、ハロゲン化物、Ｃ１〜Ｃ４−アルキルスルフェート、Ｃ１〜Ｃ４−アルキルスルホネート、及びＣ１〜Ｃ４−アルキルカーボネートである）
ｉｉｉ．０〜１５重量％の少なくとも１つのアニオン性モノエチレン性不飽和モノマー（モノマーＣ）、及び
ｉｖ．０〜３０重量％の少なくとも１つのその他の非イオン性モノエチレン性不飽和モノマー（モノマーＤ）
を含む、前記コポリマーと、を含み、
モノマーＣが存在する場合、モノマーＢのモノマーＣに対するモル比が１超であり、
前記コポリマーが、２０，０００ｇ／モル〜５００，０００ｇ／モルの重量平均分子量（Ｍｗ）を有し、
前記コポリマー及び前記非イオン性界面活性剤が、０．０３〜０．５の重量比で存在する、硬質表面組成物。
【請求項２】
モノマーＡの前記変数が以下の意味：
Ｘは、−ＣＯ−であり、
Ｙは、−Ｏ−であり、
Ｒ１は、水素又はメチルであり、
Ｒ２は、エチレン、直鎖若しくは分枝鎖プロピレン、又はこれらの混合物であり、
Ｒ３は、メチルであり、
ｎは、５〜１００、好ましくは２０〜５０の整数である、
を有する、請求項１に記載の硬質表面洗浄組成物。
【請求項３】
前記コポリマーが、６０〜９９重量％のモノマーＡ及び１〜２０重量％のモノマーＢ、０〜１５重量％のモノマーＣ及び０〜２０重量％のモノマーＤを含み、モノマーＣが存在する場合、モノマーＢのモノマーＣに対する前記重量比が１超、好ましくは２超、より好ましくは２．５超である、請求項１又は２に記載の硬質表面洗浄組成物。
【請求項４】
モノマーＢが、３−メチル−１−ビニルイミダゾリウムの塩である、請求項１〜３のいずれか一項に記載の硬質表面洗浄組成物。
【請求項５】
モノマーＡが、メチルポリエチレングリコール（メタ）アクリレートである、請求項１〜４のいずれか一項に記載の硬質表面洗浄組成物。
【請求項６】
モノマーＡが、メチルポリエチレングリコール（メタ）アクリレートであり、モノマーＢが、３−メチル−１−ビニルイミダゾリウムの塩であり、モノマーＤが、Ｎ−ビニルイミダゾールである、請求項１〜５のいずれか一項に記載の硬質表面洗浄組成物。
【請求項７】
前記組成物が、洗浄性界面活性剤、好ましくは非イオン性界面活性剤を更に含む、請求項１〜６のいずれか一項に記載の硬質表面洗浄組成物。
【請求項８】
前記組成物が、
（ａ）０．０１〜１０重量％、より好ましくは０．０２〜５重量％、最も好ましくは０．０５〜３重量％の前記コポリマーと、
（ｂ）１．０重量％〜１０．０重量％、好ましくは３．０重量％〜９．５重量％、より好ましくは４．０重量％〜９．０重量％、最も好ましくは５．０重量％〜８．０重量％の少なくとも１つの非イオン性界面活性剤であって、好ましくはエトキシル化非イオン性界面活性剤である、非イオン性界面活性剤と、
（ｃ）前記組成物の０．０５重量％〜６重量％、好ましくは０．１重量％〜５重量％、より好ましくは０．１重量％〜４．５重量％、最も好ましくは０．１重量％〜４重量％のアミンオキシド界面活性剤と、
（ｄ）０．０５重量％〜５重量％、好ましくは０．１重量％〜４重量％、最も好ましくは１．５重量％〜３．５重量％のアニオン性界面活性剤と、を含む、請求項７に記載の硬質表面洗浄組成物。
【請求項９】
ｐＨが、７．０〜１２、好ましくは７．５〜１１．５、より好ましくは９．５〜１１．３、最も好ましくは１０〜１１である、請求項８に記載の硬質表面洗浄組成物。
【請求項１０】
処理された硬質表面の光沢を改善する方法であって、
ａ）所望により、請求項１〜９のいずれか一項に記載の液体硬質表面洗浄組成物を希釈する工程と、
ｂ）前記液体硬質表面洗浄組成物を硬質表面に塗布する工程と、
ｃ）所望により、すすぐ工程と、を含む、方法。
【請求項１１】
前記液体硬質表面洗浄組成物が、前記硬質表面に噴霧される、請求項１０に記載の方法。
【請求項１２】
前記方法が、更に、処理された硬質表面の乾燥時間を短縮する、請求項１０又は１１に記載の方法。
【請求項１３】
好ましくは硬質表面組成物において、処理された硬質表面の光沢を改善する及び／又は乾燥時間を短縮するための、請求項１〜８のいずれか一項に記載のコポリマーの使用。
【発明の詳細な説明】
【技術分野】
【０００１】
コポリマーを含む硬質表面洗浄組成物及び処理された硬質表面の乾燥時間の短縮におけるその使用。
【背景技術】
【０００２】
硬質表面洗浄組成物は、硬質表面を洗浄及び処理するために使用される。好ましくは、硬質表面洗浄組成物は、「汎用」硬質表面洗浄組成物となるように処方される。すなわち、硬質表面洗浄組成物は、できるだけ多くの異なる種類の表面を洗浄するのに好適であるように処方される。硬質表面洗浄組成物は、典型的には、モップ、スポンジ、布、又は類似の器具を用いて洗浄される表面に塗布される前に、バケツで使用前に希釈される。特に汚れた床を洗浄するとき、光沢不良の原因となる膜状及びスジ状の残渣が残る可能性があり、表面が未だ十分に清浄になっていないという印象を与え得る。更に、希釈された硬質表面洗浄組成物で洗浄されたこのような床は、滑りやすくなる傾向があり、その結果、乾燥するまで、転倒及び類似の事故の危険性が高まる。
【先行技術文献】
【特許文献】
【０００３】
【特許文献１】国際公開第２００５／０５２１０７号
【発明の概要】
【発明が解決しようとする課題】
【０００４】
したがって、改善された洗浄及び光沢に加えて、処理された表面の乾燥時間を短縮する組成物が依然として必要とされている。
【０００５】
国際公開第２００５／０５２１０７号は、ポリアルキレンオキシド基及び四級窒素原子を含有するコポリマーと、界面活性剤系と、を有する洗濯組成物に関する。国際公開第２００５／０５２１０７号は、布地及び硬質表面などの表面に粘土汚れ除去及び再付着防止効果を与えるための、ポリアルキレンオキシド基及び四級窒素原子を含有するコポリマーと界面活性剤系とを有する洗剤組成物に関する。
【課題を解決するための手段】
【０００６】
本発明は、コポリマーを含む、請求項１に記載の硬質表面洗浄組成物に関する。本発明は、更に、前述請求項のいずれかに記載の液体硬質表面洗浄組成物を希釈する工程と、希釈された組成物を硬質表面に塗布する工程と、を含む、処理された硬質表面の乾燥時間を短縮する方法に関する。本発明は、更に、処理された硬質表面処理の乾燥時間を短縮するための当該コポリマーの使用に関する。
【発明を実施するための形態】
【０００７】
コポリマーを含む本発明の硬質表面洗浄組成物は、処理された表面の乾燥時間を短縮することに加えて、洗浄性界面活性剤と組み合わせて光沢及び洗浄を改善する。
【０００８】
本明細書で定義するとき、ある成分が「本質的に含まれない」とは、その成分が、対応するプレミックス又は組成物に故意に全く取り込まれないことを意味する。好ましくは、ある成分が「本質的に含まれない」とは、その成分が、対応するプレミックス又は組成物中に全く存在しないことを意味する。
【０００９】
本明細書で使用するとき、「等方性」とは、透明な混合物が、視認できる濁り、相分離、及び／又は分散粒子をほとんど又は全く有さず、かつ均一の透明な外観を有することを意味する。
【００１０】
本明細書で定義するとき、「安定した」とは、米国特許出願第２００８／０２６３７８０（Ａ１）号に記載されるＦｌｏｃ  Ｆｏｒｍａｔｉｏｎ  Ｔｅｓｔを用いて測定されるとき、少なくとも約２週間、又は少なくとも４週間、又は約１ヶ月を超え若しくは４ヶ月を超える期間、２５℃に維持されたプレミックスに対して、可視的な相分離が観測されないことを意味する。
【００１１】
本明細書で使用される全てのパーセント、比率及び割合は、別段の定めがない限り、プレミックスの重量パーセントである。全ての平均値は、特に明示的に指示されない限り、プレミックスの「重量で」計算される。
【００１２】
全ての測定は、別段の定めがない限り、２５℃で実施される。
【００１３】
特に明記しない限り、成分又は組成物の濃度は全て、当該成分又は組成物の活性部分に関するものであり、かかる成分又は組成物の市販の供給源中に存在し得る不純物、例えば、残留溶媒又は副生成物は除外される。
【００１４】
液体硬質表面洗浄組成物
「液体硬質表面洗浄組成物」とは、本明細書では、家庭、特に国内の家庭においてみられる硬質表面を洗浄するための液体組成物を意味する。洗浄される表面としては、セラミック、ビニル、無ワックスビニル、リノリウム、メラミン、ガラス、鋼、キッチン調理台、任意のプラスチック、プラスチック化木材、金属又は任意の塗装若しくはワニス仕上げ若しくは封止処理された表面等のような異なる材料からできている、キッチン及び浴室、例えば床、壁、タイル、窓、食器棚、流し、シャワー、シャワープラスチック化カーテン、洗面台、トイレ、什器及び付属品が挙げられる。家庭の硬質表面はまた、家庭用電化製品を含むが、その例としては、冷蔵庫、冷凍庫、洗濯機、自動式乾燥機、オーブン、マイクロ波オーブン、食洗機等が挙げられるが、これらに限られない。かかる硬質表面は、個人の家庭において、また商用環境、企業環境、及び工業環境においても見出され得る。
【００１５】
好ましい一実施形態において、本明細書における液体組成物は、水性組成物である。したがって、当該液体組成物は、全組成物の３０重量％〜９９．５重量％、好ましくは５０重量％〜９８重量％、より好ましくは８０重量％〜９７重量％の水を含み得る。
【００１６】
本発明の組成物は、好ましくは、円錐角２°及び切頭部±６０μｍの４０ｍｍ円錐スピンドルを有する剪断速度１０ｓ−１のＡｔｌａｓ（登録商標）製ＡＤ１０００  Ａｄｖａｎｃｅｄレオメータを使用して２０℃で測定したとき、１ｃｐｓ〜６５０ｃｐｓ、より好ましくは１００ｃｐｓ〜５５０ｃｐｓ、より好ましくは１５０ｃｐｓ〜４５０ｃｐｓ、更により好ましくは１５０ｃｐｓ〜３００ｃｐｓ、最も好ましくは１５０ｃｐｓ〜２５０ｃｐｓの粘度を有する。
【００１７】
ｐＨは、好ましくは７．０〜１２、より好ましくは７．５〜１１．５、更により好ましくは９．５〜１１．３、最も好ましくは１０〜１１である。これら好ましいアルカリ性ｐＨ範囲では、油汚れ及び粒子状の油汚れの洗浄性能が更に向上すると考えられる。したがって、本明細書の組成物は、適宜ｐＨを調整するために酸又は塩基を更に含んでもよい。洗浄組成物のｐＨは、２５℃で測定される。
【００１８】
本明細書における使用に好適な酸は、有機及び／又は無機酸である。本明細書における使用に好ましい有機酸は、６未満のｐＫａを有する。好適な有機酸は、クエン酸、乳酸、グリコール酸、コハク酸、グルタル酸及びアジピン酸、並びにこれらの混合物からなる群から選択される。好適な無機酸は、塩酸、硫酸、リン酸及びこれらの混合物からなる群から選択することができる。
【００１９】
存在する場合、このような酸の典型的な濃度は、全組成物の０．０１重量％〜５．０重量％、好ましくは０．０４重量％〜３．０重量％、より好ましくは０．０５重量％〜１．５重量％である。
【００２０】
本明細書において使用される好適な塩基は、有機及び／又は無機塩基である。本明細書における使用に好適な塩基は、水酸化ナトリウム、水酸化カリウム、及び／又は水酸化リチウムのような苛性アルカリ、並びに／又は酸化ナトリウム、及び／又は酸化カリウムのようなアルカリ金属酸化物、あるいはそれらの混合物である。好ましい塩基は苛性アルカリであり、より好ましくは、水酸化ナトリウム及び／又は水酸化カリウムである。
【００２１】
その他の好適な塩基としては、アンモニア、アンモニウムカーボネート、Ｋ２ＣＯ３、Ｎａ２ＣＯ３、並びにアルカノールアミン（モノエタノールアミン、トリエタノールアミン、アミノメチルプロパノール、及びこれらの混合物など）が挙げられる。
【００２２】
存在する場合、このような塩基の典型的な濃度は、全組成物の０．０１重量％〜５．０重量％、好ましくは０．０５重量％〜３．０重量％、及びより好ましくは０．１重量％〜２．０重量％である。
【００２３】
コポリマーを除く界面活性剤の総量は、当該組成物の好ましくは２〜２０、より好ましくは３〜１５、最も好ましくは５〜１２重量％である。
【００２４】
アニオン性界面活性剤の非イオン性界面活性剤に対する重量比は、好ましくは０．０６〜１．００、より好ましくは０．０８〜０．８０、より好ましくは０．１０〜０．６０、最も好ましくは０．１２〜０．５０である。
【００２５】
別段の定めがない限り、全ての比率は重量／重量レベルとして計算される。
【００２６】
コポリマー：
本発明の硬質表面洗浄組成物は、当該洗浄組成物の好ましくは０．０１重量％〜１０重量％、より好ましくは０．０５重量％〜８重量％、特に０．１重量％〜７重量％のコポリマーを含む。
【００２７】
コポリマーは、式（Ｉ）のモノマー（モノマーＡ）及び式（ＩＩａ〜ＩＩｄ）のモノマー（モノマーＢ）を含む群から選択されるモノマーを含む。コポリマーは、６０〜９９重量％、好ましくは７０〜９５重量％、特に８０〜９０重量％の少なくとも１つの式（Ｉ）のモノエチレン性不飽和ポリアルキレンオキシドモノマー（モノマーＡ）を含み、
【００２８】
【化１】
2019513863.tif 000002
式中、式（Ｉ）のＹは、−Ｏ−及び−ＮＨ−から選択され、式（Ｉ）のＹが−Ｏ−の場合、式（Ｉ）のＸは、−ＣＨ２−又は−ＣＯ−から選択され、式（Ｉ）のＹが−ＮＨ−である場合、式（Ｉ）のＸは−ＣＯ−であり、式（Ｉ）のＲ１は、水素、メチル及びこれらの混合物から選択され、式（Ｉ）のＲ２は、独立して、直鎖又は分枝鎖のＣ２〜Ｃ６−アルキレンラジカルから選択され、これらは、ブロック様式又は無作為に配列され得、式（Ｉ）のＲ３は、水素、Ｃ１〜Ｃ４−アルキル、及びこれらの混合物から選択され、式（Ｉ）のｎは、５〜１００、好ましくは１０〜７０、より好ましくは２０〜５０の整数である。
【００２９】
コポリマーは、１〜４０重量％、好ましくは２〜３０重量％、特に５〜２０重量％の少なくとも１つの式（ＩＩａ〜ＩＩｃ）の四級化窒素含有モノエチレン性不飽和モノマー（モノマーＢ）を含む。
【００３０】
モノマーは、コポリマーが２０，０００〜５００，０００ｇ／モル、好ましくは２５，０００超〜１５０，０００ｇ／モル、特に３０，０００〜８０，０００ｇ／モルの重量平均分子量（Ｍｗ）を有するように選択される。
【００３１】
コポリマーは、好ましくは、ｐＨ５以上で正味の正電荷を有する。
【００３２】
本発明で使用されるコポリマーは、モノマーＣ及び／又はＤを更に含み得る。モノマーＣは、コポリマーの０重量％〜１５重量％、好ましくは０〜１０重量％、特に１〜７重量％のアニオン性モノエチレン性不飽和モノマーを含み得る。
【００３３】
モノマーＤは、コポリマーの０重量％〜４０重量％、好ましくは１〜３０重量％、特に５〜２０重量％の他の非イオン性モノエチレン性不飽和モノマーを含み得る。
【００３４】
本発明による好ましいコポリマーは、共重合したモノマーＡとして、式（Ｉ）のモノエチレン性不飽和ポリアルキレンオキシドモノマーを含み、式中、式（Ｉ）のＹは、−Ｏ−であり、式（Ｉ）のＸは、−ＣＯ−であり、式（Ｉ）のＲ１は、水素又はメチルであり、式（Ｉ）のＲ２は、独立して、ブロック状又はランダムに配置される直鎖又は分枝鎖のＣ２〜Ｃ４−アルキレンラジカルから選択され、好ましくはエチレン、１，２−若しくは１，３−プロピレン、又はこれらの混合物、特に好ましくはエチレンであり、式（Ｉ）のＲ３は、メチルであり、ｎは、２０〜５０の整数である。
【００３５】
モノマーＡ
本発明のコポリマーで使用されるモノマーＡは、例えば、以下であってよい：
（ａ）一端がアルキルラジカルで末端封止された、（メタ）アクリル酸と末端封止されていないポリアルキレングリコールとの反応生成物、及び
（ｂ）末端封止されていないか又は一端がアルキルラジカルで末端封止された、ポリアルキレングルコールのアルケニルエーテル。
【００３６】
好ましいモノマーＡは、（メタ）アクリレート及びアリルエーテルであり、アクリレート及び主にメタアクリレートが特に好ましい。モノマーＡの特に好適な例は、
（ａ）それぞれ５〜１００、好ましくは１０〜７０、特に好ましくは２０〜５０のアルキレンオキシド単位を有するメチルポリエチレングリコール（メタ）アクリレート及び（メタ）アクリルアミド、メチルポリプロピレングリコール（メタ）アクリレート及び（メタ）アクリルアミド、メチルポリブチレングリコール（メタ）アクリレート及び（メタ）アクリルアミド、メチルポリ（プロピレンオキシド−コ−エチレンオキシド）（メタ）アクリレート及び（メタ）アクリルアミド、エチルポリエチレングリコール（メタ）アクリレート及び（メタ）アクリルアミド、エチルポリプロピレングリコール（メタ）アクリレート及び（メタ）アクリルアミド、エチルポリブチレングリコール（メタ）アクリレート及び（メタ）アクリルアミド及びエチルポリ（プロピレンオキシド−コ−エチレンオキシド）（メタ）アクリレート及び（メタ）アクリルアミド、好ましくはメチルポリエチレングリコールアクリレート、特に好ましくはメチルポリエチレングリコールメタアクリレート、
（ｂ）それぞれ５〜１００、好ましくは１０〜７０、特に好ましくは２０〜５０のアルキレンオキシド単位を有するエチレングリコールアリルエーテル及びメチルエチレングリコールアリルエーテル、プロピレングリコールアリルエーテル及びメチルプロピレングリコールアリルエーテルである。
【００３７】
本発明によるコポリマー中のモノマーＡの比率は、コポリマーの６０重量％〜９９重量％、好ましくは７０重量％〜９５重量％、より好ましくは８０重量％〜９０重量％である。
【００３８】
モノマーＢ
本発明のコポリマーに特に好適なモノマーＢとしては、１−ビニルイミダゾール、ビニルピリジン、（メタ）アクリル酸エステルと、アミノ含有（メタ）アクリルアミド、特に（メタ）アクリル酸のＮ，Ｎ−ジ−Ｃ１〜Ｃ４−アルキル−アミノ−Ｃ２〜Ｃ６−アルキルアミド、及びジアリルアルキルアミン、特にジアリル−Ｃ１〜Ｃ４−アルキルアミンのアミノアルコール、特にＮ，Ｎ−ジ−Ｃ１〜Ｃ４−アルキルアミノ−Ｃ２〜Ｃ６−アルコールとの四級化生成物が挙げられる。
【００３９】
好適なモノマーＢは、式ＩＩａ〜ＩＩｃを有する：
【００４０】
【化２】
2019513863.tif 000003
式中、式ＩＩａ〜ＩＩｄのＲは、Ｃ１〜Ｃ４−アルキル又はベンジル、好ましくはメチル、エチル又はベンジルから選択され、式ＩＩｃのＲ’は、水素又はメチルから選択され、式ＩＩｃのＹは、−Ｏ−又は−ＮＨ−から選択され、式ＩＩｃのＡは、Ｃ１〜Ｃ６−アルキレン、好ましくは直鎖又は分枝鎖のＣ２〜Ｃ４−アルキレン、特に１，２−エチレン、１，３−及び１，２−プロピレン又は１，４−ブチレンから選択され、式ＩＩａ〜ＩＩｄのＸ−は、ヨウ化物、好ましくは塩化物又は臭化物などのハロゲン化物、Ｃ１〜Ｃ４−アルキルサルフェート、好ましくはメチルサルフェート又はエチルサルフェート、Ｃ１〜Ｃ４−アルキルスルホネート、好ましくはメチルスルホネート又はエチルスルホネート、Ｃ１〜Ｃ４−アルキルカーボネート、及びこれらの混合物から選択される。
【００４１】
本発明において利用され得る好ましいモノマーＢの具体例は、
（ａ）３−メチル−１−ビニルイミダゾリウムクロリド、３−メチル−１−ビニルイミダゾリウムメチルサルフェート、３−エチル−１−ビニルイミダゾリウムエチルサルフェート、３−エチル−１−ビニルイミダゾリウムクロリド、及び３−ベンジル−１−ビニルイミダゾリウムクロリド、
（ｂ）１−メチル−４−ビニルピリジニウムクロリド、１−メチル−４−ビニルピリジニウムメチルサルフェート、及び１−ベンジル−４−ビニルピリジニウムクロリド、
（ｃ）３−メタクリルアミド−Ｎ，Ｎ，Ｎ−トリメチルプロパン−１−アミニウムクロリド、３−アクリル−Ｎ，Ｎ，Ｎ−トリメチルプロパン−１−アミニウムクロリド、３−アクリル−Ｎ，Ｎ，Ｎ−トリメチルプロパン−１−アミニウムメチルサルフェート、３−メタクリル−Ｎ，Ｎ，Ｎ−トリメチルプロパン−１−アミニウムクロリド、３−メタクリル−Ｎ，Ｎ，Ｎ−トリメチルプロパン−１−アミニウムメチルサルフェート、２−アクリルアミド−Ｎ，Ｎ，Ｎ−トリメチルエタン−１−アミニウムクロリド、２−アクリル−Ｎ，Ｎ，Ｎ−トリメチルエタン−１−アミニウムクロリド、２−アクリル−Ｎ，Ｎ，Ｎ−トリメチルエタン−１−アミニウムメチルサルフェート、２−メタクリル−Ｎ，Ｎ，Ｎ−トリメチルエタン−１−アミニウムクロリド、２−メタクリル−Ｎ，Ｎ，Ｎ−トリメチルエタン−１−アミニウムメチルサルフェート、２−アクリル−Ｎ，Ｎ−ジメチル−Ｎ−エチルエタン−１−アミニウムエチルサルフェート、２−メタクリル−Ｎ，Ｎ−ジメチル−Ｎ−エチルエタン−１−アミニウムエチルサルフェート、並びに
（ｄ）ジメチルジアリルアンモニウムクロリド及びジエチルジアリルアンモニウムクロリドである。
【００４２】
好ましいモノマーＢは、３−メチル−１−ビニルイミダゾリウムクロリド、３−メチル−１−ビニルイミダゾリウムメチルサルフェート、３−メタクリル−Ｎ，Ｎ，Ｎ−トリメチルプロパン−１−アミニウムクロリド、２−メタクリル−Ｎ，Ｎ，Ｎ−トリメチルエタン−１−アミニウムクロリド、２−メタクリル−Ｎ，Ｎ−ジメチル−Ｎ−エチルエタン−１−アミニウムエチルサルフェート、及びジメチルジアリルアンモニウムクロリドから選択される。
【００４３】
本発明によるコポリマーは、当該コポリマーの１重量％〜４０重量％、好ましくは２重量％〜３０重量％、特に好ましくは５重量％〜２０重量％のモノマーＢを含む。モノマーＡのモノマーＢに対する重量比は、好ましくは、２：１以上、好ましくは３：１〜５：１である。
【００４４】
モノマーＣ
本発明のコポリマーの任意成分であるモノマーＣ及びＤを利用してもよい。モノマーＣは、アニオン性モノエチレン性不飽和モノマーから選択される。好適なモノマーＣは、
（ａ）アクリル酸、メタクリル酸、２−メチレンブタン酸、クロトン酸及びビニル酢酸、好ましくはアクリル酸及びメタクリル酸などの、好ましくは３〜６個の炭素原子を有するα，β−不飽モノカルボン酸、
（ｂ）イタコン酸及びマレイン酸などの、好ましくは４〜６個の炭素原子を有する不飽和ジカルボン酸、これらの無水物（無水マレイン酸など）、
（ｃ）ビニルスルホン酸、アクリルアミド−プロパンスルホン酸、メタアリルスルホン酸、メタアクリルスルホン酸、ｍ−及びｐ−スチレンスルホン酸、（メタ）アクリルアミドメタンスルホン酸、（メタ）アクリルアミドエタンスルホン酸、（メタ）アクリルアミドプロパンスルホン酸、２−（メタ）アクリルアミド−２−メチルプロパンスルホン酸、２−アクリルアミド−２−ブタンスルホン酸、３−メタクリルアミド−２−ヒドロキシプロパンスルホン酸、メタンスルホン酸アクリレート、エタンスルホン酸アクリレート、プロパンスルホン酸アクリレート、アリルオキシベンゼンスルホン酸、メタアリルオキシベンゼンスルホン酸、及び１−アリルオキシ−２−ヒドロキシプロパンスルホン酸などのエチレン性不飽和スルホン酸、並びに
（ｄ）ビニルホスホン酸、並びにｍ−及びｐ−スチレンホスホン酸などのエチレン性不飽和ホスホン酸から選択され得る。
【００４５】
アニオン性モノマーＣは、水溶性の酸非含有形態又は水溶性塩形態、特にアルカリ金属及びアンモニウム形態、特にアルカリアンモニウム、塩、及び好ましくはナトリウム塩である塩の形態で存在し得る。
【００４６】
好ましいモノマーＣは、アクリル酸、メタクリル酸、マレイン酸、ビニルスルホン酸、２−（メタ）アクリルアミド−２−メチルプロパンスルホン酸及びビニルホスホン酸、特に好ましくは、アクリル酸、メタクリル酸、及び２−アクリルアミド−２−メチルプロパンスルホン酸から選択され得る。
【００４７】
本発明のコポリマー中のモノマーＣの比率は、コポリマーの１５重量％以下、好ましくは１重量％〜５重量％であり得る。
【００４８】
モノマーＣが本発明のコポリマー中に存在する場合、モノマーＢのモノマーＣに対するモル比は、１超である。モノマーＡのモノマーＣに対する重量比は、好ましくは４：１以上であり、より好ましくは５：１以上である。更に、モノマーＢのモノマーＣに対する重量比は、２：１以上であり、更により好ましくは２．５：１である。
【００４９】
モノマーＤ
本発明のコポリマーの任意成分として、モノマーＤを利用してもよい。モノマーＤは、
（ａ）モノエチレン性不飽和Ｃ３〜Ｃ６−カルボン酸、特にアクリル酸及びメタクリル酸と一価のＣ１〜Ｃ２２−アルコール、特にＣ１〜Ｃ１６−アルコールとのエステル、並びにモノエチレン性不飽和Ｃ３〜Ｃ６−カルボン酸、特にアクリル酸及びメタクリル酸と、メチル（メタ）アクリレート、エチル（メタ）アクリレート、ｎ−ブチル（メタ）アクリレート、ｓｅｃ−ブチル（メタ）アクリレート、ｔｅｒｔ−ブチル（メタ）アクリレート、エチルヘキシル（メタ）アクリレート、デシル（メタ）アクリレート、ラウリル（メタ）アクリレート、イソボルニル（メタ）アクリレート、セチル（メタ）アクリレート、パルミチル（メタ）アクリレート及びステアリル（メタ）アクリレート、ヒドロキシエチル（メタ）アクリレート、ヒドロキシプロピル（メタ）アクリレート及びヒドロキシブチル（メタ）アクリレートなどの二価のＣ２〜Ｃ４アルコールと、のヒドロキシアルキルエステル、
（ｂ）モノエチレン性不飽和Ｃ３〜Ｃ６−カルボン酸、特にアクリル酸及びメタクリル酸と、Ｎ−メチル（メタ）アクリルアミド、Ｎ，Ｎ−ジメチル（メタ）アクリルアミド、Ｎ−エチル（メタ）アクリルアミド、Ｎ−プロピル（メタ）アクリルアミド、Ｎ−ｔｅｒｔ−ブチル（メタ）アクリルアミド、Ｎ−ｔｅｒｔ−オクチル（メタ）アクリルアミド及びＮ−ウンデシル（メタ）アクリルアミド、及び（メタ）アクリルアミドなどのＣ１〜Ｃ１２−アルキルアミン及びジ（Ｃ１〜Ｃ４−アルキル）アミンと、のアミド、
（ｃ）酢酸ビニル、プロピオン酸ビニル、酪酸ビニル、２−エチルヘキサン酸ビニル、及びラウリン酸ビニルなどの飽和Ｃ２〜Ｃ３０−カルボン酸、特にＣ２〜Ｃ１４−カルボン酸のビニルエステル、
（ｄ）ビニルメチルエーテル、ビニルエチルエーテル、ビニル−ｎ−プロピルエーテル、ビニルイソプロピルエーテル、ビニル−ｎ−ブチルエーテル、ビニルイソブチルエーテル、ビニル−２−エチルヘキシルエーテル、及びビニルオクタデシルエーテルなどのビニルＣ１〜Ｃ３０−アルキルエーテル、特にビニルＣ１〜Ｃ１８−アルキルエーテル、
（ｅ）Ｎ−ビニルホルムアミド、Ｎ−ビニル−Ｎ−メチル−ホルムアミド、Ｎ−ビニルアセトアミド、Ｎ−ビニル−Ｎ−メチルアセトアミド、Ｎ−ビニルイミダゾール、Ｎ−ビニルピロリドン、Ｎ−ビニルピペリドン、及びＮ−ビニルカプロラクタムなどのＮ−ビニルアミド及びＮ−ビニルラクタム、
（ｆ）エチレン、プロピレン、Ｃ４〜Ｃ２４−α−オレフィン、特にＣ４〜Ｃ１６−α−オレフィン、例えば、ブチレン、イソブチレン、ジイソブテン、スチレン、及びα−メチルスチレンなどの脂肪族及び芳香族オレフィン、並びに活性二重結合を有するジオレフィン、例えばブタジエン、
（ｇ）アクリロニトリル及びメタクリロニトリルなどの不飽和ニトリルから選択される非イオン性モノエチレン性不飽和モノマーから選択される。
【００５０】
好ましいモノマーＤは、メチル（メタ）アクリレート、エチル（メタ）アクリレート、（メタ）アクリルアミド、酢酸ビニル、プロピオン酸ビニル、ビニルメチルエーテル、Ｎ−ビニルホルムアミド、Ｎ−ビニルピロリドン、Ｎ−ビニルイミダゾール、及びＮ−ビニルカプロラクタムから選択される。Ｎ−ビニルイミダゾールが、特に好ましい。
【００５１】
モノマーＤが本発明のコポリマー中に存在する場合、モノマーＤの比率は、コポリマーの４０重量％以下、好ましくは１重量％〜３０重量％、より好ましくは５重量％〜２０重量％であり得る。
【００５２】
本発明の好ましいコポリマーとしては、
【００５３】
【化３】
2019513863.tif 000004
が挙げられ、式中、指数ｙ及びｚは、モノマー比（ｚ：ｙ）が３：１〜２０：１になるようなものであり、指数ｘ及びｚは、モノマー比（ｚ：ｘ）が１．５：１〜２０：１になるようなものであり、ポリマーは、２０，０００〜５００，０００ｇ／モル、好ましくは２５，０００超〜１５０，０００ｇ／モル、特に３０，０００〜８０，０００ｇ／モルの重量平均分子量を有する。
【００５４】
本発明によるコポリマーは、モノマーＡ及びＢ、並びに望ましい場合は、Ｃ及び／又はＤのフリーラジカル重合により調製することができる。モノマーのフリーラジカル重合は、全ての公知の方法に従って実施することができ、溶液重合及び乳化重合のプロセスが好ましい。好適な重合開始剤は、熱又は光化学的（光開始剤）に分解して、ベンゾフェノン、アセトフェノン、ベンゾインエーテル、ベンジルジアルキルケトン及びこれらの誘導体などのフリーラジカルを形成する化合物である。
【００５５】
重合開始剤は、重合される材料の必要条件に従って、通常、重合されるモノマーの重量に対して、０．０１重量％〜１５重量％、好ましくは０．５重量％〜５重量の量で使用され、個々に又は互いに組み合わせて使用され得る。
【００５６】
四級化モノマーＢの代わりに、対応する四級アミンを使用することも可能である。この場合、生じたコポリマーと、ハロゲン化アルキル、硫酸ジアルキル及び炭酸ジアルキル、又はハロゲン化ベンジル（塩化ベンジルなど）などのアルキル化剤と、を反応させることによる重合の後、四級化が行われる。記載され得る好適なアルキル化剤の例としては、塩化メチル、臭化メチル及びヨウ化メチル、塩化エチル及び臭化エチル、硫酸ジメチル、硫酸ジエチル、炭酸ジメチル及び炭酸ジエチルがある。
【００５７】
アニオン性モノマーＣは、遊離酸の形態、又は部分的若しくは完全に塩で中性化された形態のいずれかにおける重合に使用され得る。列挙され得る具体例には、水酸化ナトリウム溶液、水酸化カリウム溶液、炭酸ナトリウム、炭酸水素ナトリウム、エタノールアミン、ジエタノールアミン及びトリエタノールアミンがある。
【００５８】
本発明によるコポリマーのモル質量を制限するために、従来の調節剤、例えば、メルカプトエタノールなどのメルカプト化合物、チオグリコール酸、及び二亜硫酸ナトリウムを重合中に添加してもよい。調節剤の好適な量は、重合されるモノマーの重量に対して、０．１重量％〜５重量％である。
【００５９】
界面活性剤
界面活性剤の総量は、当該組成物の０．１〜２５、好ましくは２〜２０、より好ましくは３〜１５、最も好ましくは５〜１２重量％である。好ましい界面活性剤としては、非イオン性界面活性剤、アニオン性界面活性剤、及びこれらの組み合わせが挙げられるが、更なる界面活性剤が存在していてもよい。
【００６０】
アニオン性及び非イオン性の界面活性剤が両方存在する場合、アニオン性界面活性剤の非イオン性界面活性剤に対する重量比は、好ましくは０．０６〜１．００、より好ましくは０．０８〜０．８０、より好ましくは０．１０〜０．６０、最も好ましくは０．１２〜０．５０である。
【００６１】
非イオン性界面活性剤
液体硬質表面洗浄組成物は、好ましくは、非イオン性界面活性剤を含む。非イオン性界面活性剤は、アルコキシル化非イオン性界面活性剤、アルキルポリグリコシド、アミンオキシド、及びこれらの混合物からなる群から選択することができる。典型的には、液体硬質表面洗浄組成物は、全組成物の１．０重量％〜１０．０重量％、好ましくは３．０重量％〜９．５重量％、より好ましくは４．０重量％〜９．０重量％、最も好ましくは５．０重量％〜８．０重量％の当該非イオン性界面活性剤を含み得る。
【００６２】
合計量２〜１０重量％、好ましくは２〜５重量％の界面活性剤を含む希釈組成物では、非イオン性界面活性剤は、好ましくは、液体硬質表面洗浄組成物の１．０重量％〜５．０重量％、より好ましくは２．０重量％〜４．０重量％、最も好ましくは２．２重量％〜３．５重量％の濃度で存在する。
【００６３】
コポリマーと非イオン性界面活性剤とを組み合わせると、乾燥時間の短縮に加えて、光沢が改善される。
【００６４】
光沢を改善するために、コポリマー及び非イオン性界面活性剤は、０．０３〜０．５、好ましくは０．０３５〜０．２、より好ましくは０．０４〜０．０９の重量比で存在する。
【００６５】
硬質表面洗浄組成物は、当該組成物の１重量％〜１０重量％、好ましくは１．５重量％〜８重量％、より好ましくは２重量％〜７重量％、最も好ましくは２重量％〜６重量％のアルコキシル化アルコール、好ましくはエトキシル化アルコールを含み得る。
【００６６】
好適なアルコキシ化非イオン性界面活性剤としては、一級Ｃ６〜Ｃ１６アルコールポリグリコールエーテル、すなわち、アルキル部分に６〜１６個の炭素原子を有し、４〜３０個のエチレンオキシド（ＥＯ）単位を有するエトキシ化アルコールが挙げられる。例えばＣ９〜１４に言及する場合には、平均の炭素を意味し、代替的に例えばＥＯ８に言及する場合には、平均のエチレンオキシド単位を意味する。
【００６７】
好適なアルコキシ化非イオン性界面活性剤は、式：ＲＯ−（Ａ）ｎＨによるものであり、式中、Ｒは、Ｃ６〜Ｃ１８、好ましくはＣ８〜Ｃ１６、より好ましくはＣ８〜Ｃ１２アルキル鎖、又はＣ６〜Ｃ２８アルキルベンゼン鎖であり、Ａは、エトキシ又はプロポキシ又はブトキシ単位であり、ｎは１〜３０、好ましくは１〜１５、より好ましくは４〜１２、更により好ましくは５〜１０である。本明細書における使用に好ましいＲ鎖は、Ｃ８〜Ｃ２２アルキル鎖である。本明細書における使用に更に好ましいＲ鎖は、Ｃ９〜Ｃ１２アルキル鎖である。Ｒは、直鎖又は分枝鎖のアルキル鎖であってよい。
【００６８】
本明細書に用いるのに好適なエトキシル化非イオン性界面活性剤は、Ｄｏｂａｎｏｌ（登録商標）９１−２．５（ＨＬＢ＝８．１；Ｒは、Ｃ９及びＣ１１アルキル鎖の混合物であり、ｎは２．５である）、Ｄｏｂａｎｏｌ（登録商標）９１−１０（ＨＬＢ＝１４．２；Ｒは、Ｃ９〜Ｃ１１アルキル鎖の混合物であり、ｎは１０である）、Ｄｏｂａｎｏｌ（登録商標）９１−１２（ＨＬＢ＝１４．５；Ｒは、Ｃ９〜Ｃ１１アルキル鎖の混合物であり、ｎは１２である）、Ｇｒｅｅｎｂｅｎｔｉｎｅ  ＤＥ８０（ＨＬＢ＝１３．８、９８重量％  Ｃ１０直鎖アルキル鎖、ｎは８である）、Ｍａｒｌｉｐａｌ  １０−８（ＨＬＢ＝１３．８、Ｒは、Ｃ１０直鎖アルキル鎖であり、ｎは８である）、Ｌｉａｌｅｔｈｌ（登録商標）１１−５（Ｒは、Ｃ１１アルキル鎖であり、ｎは５である）、Ｉｓａｌｃｈｅｍ（登録商標）１１−５（Ｒは、直鎖及び分枝鎖Ｃ１１アルキル鎖の混合物であり、ｎは５である）、Ｌｉａｌｅｔｈｌ（登録商標）１１−２１（Ｒは、直鎖及び分枝鎖Ｃ１１アルキル鎖の混合物であり、ｎは２１である）、Ｉｓａｌｃｈｅｍ（登録商標）１１−２１（Ｒは、Ｃ１１分枝鎖アルキル鎖であり、ｎは２１である）、Ｅｍｐｉｌａｎ（登録商標）ＫＢＥ２１（Ｒは、Ｃ１２及びＣ１４アルキル鎖の混合物であり、ｎは２１である）、又はこれらの混合物である。本明細書で好ましいものとしては、Ｄｏｂａｎｏｌ（登録商標）９１−５、Ｎｅｏｄｏｌ（登録商標）１１−５、Ｌｉａｌｅｔｈｌ（登録商標）１１−２１  Ｌｉａｌｅｔｈｌ（登録商標）１１−５  Ｉｓａｌｃｈｅｍ（登録商標）１１−５  Ｉｓａｌｃｈｅｍ（登録商標）１１−２１  Ｄｏｂａｎｏｌ（登録商標）９１−８、又はＤｏｂａｎｏｌ（登録商標）９１−１０、又はＤｏｂａｎｏｌ（登録商標）９１−１２、あるいはこれらの混合物がある。これらのＤｏｂａｎｏｌ（登録商標）／Ｎｅｏｄｏｌ（登録商標）界面活性剤は、ＳＨＥＬＬより市販されている。Ｇｒｅｅｎｂｅｎｔｉｎｅ（登録商標）界面活性剤は、ＫＯＬＢから市販されている。これらのＩｓａｌｃｈｅｍ（登録商標）／Ｍａｒｌｉｐａｌ（登録商標）界面活性剤は、Ｓａｓｏｌから市販されている。Ｅｍｐｉｌａｎ（登録商標）界面活性剤は、Ｈｕｎｔｓｍａｎから市販されている。
【００６９】
本明細書で用いるのに好適なアルコキシル化非イオン性界面活性剤を調製するための化学プロセスとしては、所望の比率での対応するアルコールとアルキレンオキシドとの縮合が挙げられる。ＯＸＯプロセス及びその様々な派生物を含むこのようなプロセスは、当業者に周知であり、当該技術分野において広く説明されている。ＯＸＯプロセスを使用して生成される好適なアルコキシル化脂肪族アルコール非イオン性界面活性剤は、Ｓｈｅｌｌ  Ｃｈｅｍｉｃａｌ  Ｃｏｍｐａｎｙによって商標名ＮＥＯＤＯＬ（登録商標）として販売されている。あるいは、好適なアルコキシル化非イオン性界面活性剤は、チーグラープロセスなどのその他のプロセス、並びにＯＸＯ又はチーグラープロセスの派生物により調製することができる。
【００７０】
好ましくは、当該アルコキシル化非イオン性界面活性剤は、Ｃ９〜１１  ＥＯ５アルキルエトキシレート、Ｃ１２〜１４  ＥＯ５アルキルエトキシレート、Ｃ１１  ＥＯ５アルキルエトキシレート、Ｃ１２〜１４  ＥＯ２１アルキルエトキシレート、若しくはＣ９〜１１  ＥＯ８アルキルエトキシレート、又はこれらの混合物である。最も好ましくは、当該アルコキシル化非イオン性界面活性剤は、Ｃ１１  ＥＯ５アルキルエトキシレート若しくはＣ９〜１１  ＥＯ８アルキルエトキシレート、又はこれらの混合物である。
【００７１】
アルキルポリグリコシドは、当該技術分野において周知の生分解性非イオン性界面活性剤であり、これも本発明の組成物に使用することができる。好適なアルキルポリグリコシドは、一般式ＣｎＨ２ｎ＋１Ｏ（Ｃ６Ｈ１０Ｏ５）ｘＨを有することができ、式中、ｎは好ましくは９〜１６、より好ましくは１１〜１４であり、ｘは好ましくは１〜２、より好ましくは１．３〜１．６である。
【００７２】
好適なアミンオキシド界面活性剤としては、Ｒ１Ｒ２Ｒ３ＮＯが挙げられ、式中、Ｒ１、Ｒ２及びＲ３のそれぞれは、独立して、１０〜３０個の炭素原子を有する飽和又は不飽和、置換又は非置換、直鎖又は分枝鎖の炭化水素鎖である。好ましいアミンオキシド界面活性剤は、以下の式：Ｒ１Ｒ２Ｒ３ＮＯを有するアミンオキシドであり、式中、Ｒ１は、１〜３０個、好ましくは６〜２０個、より好ましくは８〜１６個の炭素原子を含む炭化水素鎖であり、Ｒ２及びＲ３は、独立して、１〜４個の炭素原子、好ましくは１〜３個の炭素原子を含む飽和又は不飽和、置換又は非置換、直鎖又は分枝鎖の炭化水素鎖であり、より好ましくはメチル基である。Ｒ１は、飽和又は不飽和、置換又は非置換、直鎖又は分枝鎖の炭化水素鎖であってよい。好ましくは、液体硬質表面洗浄組成物は、当該組成物の０．０５重量％〜６重量％、好ましくは０．１重量％〜５重量％、より好ましくは０．１重量％〜４．５重量％、最も好ましくは０．１重量％〜４重量％のアミンオキシド界面活性剤を含む。
【００７３】
極めて好ましいアミンオキシドは、Ａｌｂｒｉｇｈｔ  ＆  Ｗｉｌｓｏｎから市販されているＣ１２〜Ｃ１４ジメチルアミンオキシド、ＣｌａｒｉａｎｔからＧｅｎａｍｉｎｏｘ（登録商標）ＬＡの商標名で市販されているＣ１２〜Ｃ１４アミンオキシド、又はＡＫＺＯ  Ｎｏｂｅｌから市販されているＡＲＯＭＯＸ（登録商標）ＤＭＣである。
【００７４】
非イオン性界面活性剤は、好ましくは、９５０ｇ／モル未満、より好ましくは５００ｇ／モル未満の分子量を有する低分子量非イオン性界面活性剤である。
【００７５】
アニオン性界面活性剤：
液体硬質表面洗浄組成物は、アニオン性界面活性剤を含み得る。アニオン性界面活性剤は、アルキルサルフェート、アルキルアルコキシル化サルフェート、スルホン酸又はスルホネート界面活性剤、及びこれらの混合物からなる群から選択することができる。液体硬質表面洗浄組成物は、０．０５重量％〜５重量％、好ましくは０．１重量％〜４重量％、最も好ましくは１．５重量％〜３．５重量％のアニオン性界面活性剤を含み得る。
【００７６】
本明細書での使用に好適なアルキルサルフェートとしては、式ＲＯＳＯ３Ｍの水溶性の塩又は酸が挙げられ、式中、Ｒは、Ｃ６〜Ｃ１８の直鎖又は分枝鎖の、飽和又は不飽和アルキル基、好ましくはＣ８〜Ｃ１６アルキル基、より好ましくはＣ１０〜Ｃ１６アルキル基であり、Ｍは、Ｈ、又は例えばアルカリ金属カチオン（例えばナトリウム、カリウム、リチウム）、又はアンモニウム若しくは置換アンモニウム（例えばメチル−、ジメチル−、及びトリメチルアンモニウムカチオン及び四級アンモニウムカチオン、例えばテトラメチル−アンモニウム及びジメチルピペリジニウムカチオン、並びにエチルアミン、ジエチルアミン、トリエチルアミン、及びこれらの混合物のようなアルキルアミンから誘導される四級アンモニウムカチオンなど）などのカチオンである。
【００７７】
特に好適な直鎖アルキルサルフェートとしては、Ｈｕｎｔｓｍａｎから市販されているＥＭＰＩＣＯＬ（登録商標）０２９８／、ＥＭＰＩＣＯＬ（登録商標）０２９８／Ｆ、又はＥＭＰＩＣＯＬ（登録商標）ＸＬＢなどのＣ１２〜１４アルキルサルフェートが挙げられる。「直鎖アルキルサルフェート」とは、本明細書において、非置換のアルキルサルフェートを意味し、ここで直鎖アルキル鎖は、６〜１６個の炭素原子、好ましくは８〜１４個の炭素原子、より好ましくは１０〜１４個の炭素原子を含み、このアルキル鎖は、一方の末端が硫酸化されている。
【００７８】
本明細書での使用に好適なスルホン化アニオン性界面活性剤は、当業者には周知の全てのスルホン化アニオン性界面活性剤である。好ましくは、本明細書で使用されるスルホン化アニオン性界面活性剤は、アルキルスルホネート、アルキルアリールスルホネート、ナフタレンスルホネート、アルキルアルコキシル化スルホネート、及びＣ６〜Ｃ１６アルキルアルコキシル化直鎖又は分枝鎖ジフェニルオキシドジスルホネート、並びにこれらの混合物からなる群から選択される。
【００７９】
本明細書での使用に好適なアルキルスルホネートとしては、式ＲＳＯ３Ｍの水溶性の塩又は酸が挙げられ、式中、Ｒは、Ｃ６〜Ｃ１８の直鎖又は分枝鎖の、飽和又は不飽和アルキル基、好ましくはＣ８〜Ｃ１６アルキル基、及びより好ましくはＣ１０〜Ｃ１６アルキル基であり、Ｍは、Ｈ、又は例えばアルカリ金属カチオン（例えばナトリウム、カリウム、リチウム）又はアンモニウム若しくは置換アンモニウム（例えばメチル−、ジメチル−、及びトリメチルアンモニウムカチオン及び四級アンモニウムカチオン、例えばテトラメチル−アンモニウム及びジメチルピペリジニウムカチオン、並びにエチルアミン、ジエチルアミン、トリエチルアミン、及びこれらの混合物のようなアルキルアミンから誘導される四級アンモニウムカチオンなど）などのカチオンである。
【００８０】
本明細書での使用に好適なアルキルアリールスルホネートとしては、式ＲＳＯ３Ｍの水溶性の塩又は酸が挙げられ、式中、Ｒは、Ｃ６〜Ｃ１８の直鎖又は分枝鎖の、飽和又は不飽和アルキル基、好ましくはＣ８〜Ｃ１６アルキル基、より好ましくはＣ１０〜Ｃ１６アルキル基で置換された、アリール、好ましくはベンジルであり、Ｍは、Ｈ、又は例えばアルカリ金属カチオン（例えばナトリウム、カリウム、リチウム、カルシウム、マグネシウムなど）、又はアンモニウム若しくは置換アンモニウム（例えばメチル−、ジメチル−、及びトリメチルアンモニウムカチオン及び四級アンモニウムカチオン、例えばテトラメチル−アンモニウム及びジメチルピペリジニウムカチオン、並びにエチルアミン、ジエチルアミン、トリエチルアミン、及びこれらの混合物などのアルキルアミンから誘導される四級アンモニウムカチオンなど）などのカチオンである。
【００８１】
特に好適な直鎖アルキルスルホネートとしては、Ｃｌａｒｉａｎｔから市販されているＨｏｓｔａｐｕｒ（登録商標）ＳＡＳのようなＣ１２〜Ｃ１６パラフィンスルホネートが挙げられる。特に好ましいアルキルアリールスルホネートは、Ｈｕｎｔｓｍａｎから入手可能な商標名Ｎａｎｓａ（登録商標）として市販されているアルキルベンゼンスルホネートである。
【００８２】
「直鎖アルキルスルホネート」とは、本明細書において、非置換のアルキルスルホネートを意味し、アルキル鎖は、６〜１８個の炭素原子、好ましくは８〜１６個の炭素原子、より好ましくは１０〜１６個の炭素原子を含み、このアルキル鎖は一方の末端がスルホン化されている。
【００８３】
本明細書での使用に好適なアルコキシル化スルホネート界面活性剤は、式Ｒ（Ａ）ｍＳＯ３Ｍによるものであり、式中、Ｒは、非置換のＣ６〜Ｃ１８アルキル、ヒドロキシアルキル、又はアルキルアリール基であって、直鎖又は分枝鎖のＣ６〜Ｃ１８アルキル成分、好ましくはＣ８〜Ｃ１６アルキル又はヒドロキシアルキル、より好ましくはＣ１２〜Ｃ１６アルキル又はヒドロキシアルキルを有し、Ａは、エトキシ又はプロポキシ又はブトキシ単位であり、ｍは、０よりも大きく、一般的には０．５〜６、より好ましくは０．５〜３であり、Ｍは、Ｈ又はカチオンであり、当該カチオンは、例えば、金属カチオン（例えば、ナトリウム、カリウム、リチウム、カルシウム、マグネシウムなど）、アンモニウム又は置換アンモニウムカチオンであってよい。アルキルエトキシル化スルホネート、アルキルブトキシル化スルホネート、及びアルキルプロポキシル化スルホネートが本明細書で想到される。置換アンモニウムカチオンの具体例としては、メチル−、ジメチル−、トリメチルアンモニウム、及びテトラメチルアンモニウム、ジメチルピペリジニウムのような四級アンモニウムカチオン、並びにエチルアミン、ジエチルアミン、トリエチルアミン、及びこれらの混合物などのアルカノールアミンから誘導されるカチオンが挙げられる。
【００８４】
界面活性剤の例としては、Ｃ１２〜Ｃ１８アルキルポリエトキシレート（１．０）スルホネート（Ｃ１２〜Ｃ１８Ｅ（１．０）ＳＭ）、Ｃ１２〜Ｃ１８アルキルポリエトキシレート（２．２５）スルホネート（Ｃ１２〜Ｃ１８Ｅ（２．２５）ＳＭ）、Ｃ１２〜Ｃ１８アルキルポリエトキシレート（３．０）スルホネート（Ｃ１２〜Ｃ１８Ｅ（３．０）ＳＭ）、Ｃ１２〜Ｃ１８アルキルポリエトキシレート（４．０）スルホネート（Ｃ１２〜Ｃ１８Ｅ（４．０）ＳＭ）があり、Ｍは、ナトリウム及びカリウムから適宜選択される。特に好適なアルコキシル化スルホネートとしては、Ｄｏｗ  Ｃｈｅｍｉｃａｌから市販されているＴｒｉｔｏｎ  Ｘ−２００（登録商標）のようなアルキルアリールポリエーテルスルホネートが挙げられる。
【００８５】
好ましくは、本明細書で使用される当該硫酸化又はスルホン化アニオン性界面活性剤は、アルキルサルフェート（ＡＳ）、好ましくはＣ１２、Ｃ１３、Ｃ１４及びＣ１５のＡＳ、直鎖アルキルスルホン酸ナトリウム（ＮａＬＡＳ）、パラフィンスルホン酸ナトリウムＮａＰＣ１２〜１６Ｓ、及びこれらの混合物からなる群から選択される。最も好ましくは、本明細書で使用される硫酸化又はスルホン化アニオン性界面活性剤は、アルキルサルフェート（ＡＳ）、好ましくはＣ１２、Ｃ１３、Ｃ１４及びＣ１５のＡＳ、直鎖アルキルスルホン酸ナトリウム（ＮａＬＡＳ）、パラフィンスルホン酸ナトリウムＮａＰＣ１２〜１６Ｓ、及びこれらの混合物からなる群から選択される。
【００８６】
一般的に、本明細書の液体組成物は、全組成物の０．５重量％〜９．５重量％、好ましくは１．０重量％〜５．０重量％、より好ましくは１．５重量％〜３．５重量％、最も好ましくは２．０重量％〜３．０重量％の当該硫酸化又はスルホン化アニオン性界面活性剤を含むことができる。
【００８７】
更なる界面活性剤：
硬質表面洗浄組成物は、好ましくは両性、双極性イオン性、及びこれらの混合物から選択される更なる界面活性剤を１０重量％以下で含み得る。より好ましくは、硬質表面洗浄組成物は、０．５重量％〜５重量％、又は０．５重量％〜３重量％、又は０．５重量％〜２重量％の更なる界面活性剤を含み得る。
【００８８】
好適な双極性イオン性界面活性剤は、典型的には、使用ｐＨにおいて電気的に中性になるように、実質的に等しい比率でカチオン性基及びアニオン性基を両方含有し、当該技術分野において周知である。双極性イオン性界面活性剤（例えば、ベタイン／スルホベタイン界面活性剤など）のいくつかの一般的な例は、米国特許第２，０８２，２７５号、同第２，７０２，２７９号、及び同第２，２５５，０８２号に記載されている。
【００８９】
両性界面活性剤は、組成物のｐＨに依存してカチオン性又はアニオン性のいずれであることができる。好適な両性界面活性剤としては、ドデシルβ−アラニン、米国特許第２，６５８，０７２号に教示されているようにドデシルアミンをイセチオン酸ナトリウムと反応させることによって調製されるものなどのＮ−アルキルタウリン、米国特許第２，４３８，０９１号に教示されているものなどのＮ−高級アルキルアスパラギン酸、及び米国特許第２，５２８，３７８号に記載されているように商標名「Ｍｉｒａｎｏｌ」として販売されている製品が挙げられる。その他の好適な更なる界面活性剤は、ＭｃＣｕｔｃｈｅｏｎ’ｓ  Ｄｅｔｅｒｇｅｎｔｓ  ａｎｄ  Ｅｍｕｌｓｉｆｅｒｓ、北米版、１９８０年に見出すことができる。
【００９０】
任意成分：
増粘剤：液体硬質表面洗浄組成物は、増粘剤を含み得る。特に処理される表面に未希釈で塗布されると、増加した粘度、特に低い剪断粘度によって、より長い接触時間がもたらされるので、油汚れ及び／又は粒子状油汚れの浸透が改善して、洗浄効果が改善される。更に、高い低剪断粘度は、液体洗浄組成物の相安定性を改善し、特に、液体硬質表面洗浄組成物の組成におけるコポリマーの安定性を改善する。したがって、好ましくは、増粘剤を含む液体硬質表面洗浄組成物は、円錐角２°及び切頭部±６０ｍｍの４０ｍｍ円錐スピンドルを有する剪断速度１０ｓ−１のＡｔｌａｓ（登録商標）製ＡＤ１０００  Ａｄｖａｎｃｅｄレオメータを使用して測定したとき、２０℃で５０Ｐａ．ｓ〜６５０Ｐａ．ｓ、より好ましくは１００Ｐａ．ｓ〜５５０Ｐａ．ｓ、最も好ましくは１５０Ｐａ．ｓ〜４５０Ｐａ．ｓの粘度を有する。
【００９１】
好適な増粘剤としては、ポリアクリレート系ポリマー、好ましくは疎水変性ポリアクリレートポリマー、ヒドロキシエチルセルロース、好ましくは疎水変性ヒドロキシエチルセルロース、キサンタンガム、硬化ヒマシ油（ＨＣＯ）、及びこれらの混合物が挙げられる。
【００９２】
好ましい増粘剤は、ポリアクリレート系ポリマー、好ましくは、疎水変性ポリアクリレートポリマーである。好ましくは、主モノマーであるアクリル酸、アクリル酸エステル、酢酸ビニル、メタクリル酸、アクリルニトリル及びこれらの混合物を主成分とする水溶性コポリマーであり、より好ましくは、コポリマーは、乳状で低粘度分散液の外観を有するメタクリル酸及びアクリル酸エステルを主成分とするものである。最も好ましい疎水（hydrologically）変性ポリアクリレートポリマーは、ＢＡＳＦより市販されているＲｈｅｏｖｉｓ（登録商標）ＡＴ１２０である。
【００９３】
本明細書で使用する最も好ましい増粘剤は、ＢＡＳＦから市販されているＲｈｅｏｖｉｓ（登録商標）ＡＴ１２０などのメタクリル酸／アクリル酸コポリマーである。
【００９４】
使用するとき、液体硬質表面洗浄組成物は、全組成物の０．１重量％〜１０．０重量％、好ましくは０．２重量％〜５．０重量％、より好ましくは０．２重量％〜２．５重量％、最も好ましくは０．２重量％〜２．０重量％の当該増粘剤を含む。
【００９５】
キレート剤：液体硬質表面洗浄組成物は、キレート剤又は結晶成長阻害剤を含み得る。好適なキレート剤は、界面活性剤系と組み合わされて光沢効果を向上させる。キレート剤は、全組成物の０．０５重量％〜５．０重量％、好ましくは０．１重量％〜３．０重量％、より好ましくは０．２重量％〜２．０重量％、最も好ましくは０．２重量％〜０．４重量％の範囲の量で当該組成物に配合することができる。
【００９６】
好適なホスホネートキレート剤としては、エチレンジアミンテトラメチレンホスホネート、及びジエチレントリアミンペンタメチレンホスホネート（ＤＴＰＭＰ）が挙げられ、これらの酸形態、又は塩のいずれかとして存在させることができる。
【００９７】
本明細書に用いるのに好ましい生分解性キレート剤は、エチレンジアミンＮ，Ｎ’−二コハク酸、若しくはこれらのアルカリ金属、若しくはアルカリ土類、アンモニウム若しくは置換アンモニウム塩、又はこれらの混合物、例えば、米国特許第４，７０４，２３３号に記載されているものである。より好ましい生分解性キレート剤は、Ａｋｚｏ  Ｎｏｂｅｌから商標名Ｄｉｓｓｏｌｖｉｎｅ  ４７Ｓで市販されているＬ−グルタミン酸Ｎ，Ｎ−二酢酸（ＧＬＤＡ）である。
【００９８】
本発明で用いるのに好適なアミノカルボキシレートとしては、酸の形態又はアルカリ金属塩、アンモニウム塩、及び置換アンモニウム塩の形態の双方における、グルタミン酸二酢酸四ナトリウム（ＧＬＤＡ）、エチレンジアミン四酢酸、ジエチレントリアミン五酢酸、ジエチレントリアミン五酢酸（ＤＴＰＡ）、Ｎ−ヒドロキシエチルエチレンジアミン三酢酸、ニトリロ三酢酸、エチレンジアミンテトラプロピオネート、トリエチレンテトラアミン六酢酸、エタノール−ジグリシン、プロピレンジアミン四酢酸（ＰＤＴＡ）、及びメチルグリシン二酢酸（ＭＧＤＡ）が挙げられる。本明細書で用いるのに特に好適なアミノカルボキシレートは、ジエチレントリアミン五酢酸、例えばＢＡＳＦから商標名Ｔｒｉｌｏｎ  ＦＳ（登録商標）で市販されているプロピレンジアミン四酢酸（ＰＤＴＡ）、メチルグリシン二酢酸（ＭＧＤＡ）、例えばＡｋｚｏＮｏｂｅｌから商標名Ｄｉｓｓｏｌｖｉｎｅ（登録商標）ＧＬで市販されているグルタミン酸二酢酸四ナトリウム（ＧＬＤＡ）である。
【００９９】
更なるポリマー：液体硬質表面洗浄組成物は、更なるポリマーを含み得る。本明細書に記載される特定のポリマーの存在は、存在する場合、ポリマーが当該組成物に与える特定の泡立ち／起泡特性のために当該液体組成物の油汚れ除去性能を更に改善することができることが見出されている。本明細書に用いるのに好適なポリマーは、同時係属の欧州特許出願第２２７２９４２（０９１６４８７２．５）号及び欧州登録特許第２０２５７４３（０７１１３１５６．９）号に開示されている。
【０１００】
ポリマーは、ビニルピロリドンホモポリマー（ＰＶＰ）、ポリエチレングリコールジメチルエーテル（ＤＭ−ＰＥＧ）、ビニルピロリドン／ジアルキルアミノアルキルアクリレート、又はメタクリレートコポリマー、ポリスチレンスルホネートポリマー（ＰＳＳ）、ポリビニルピリジン−Ｎ−オキシド（ＰＶＮＯ）、ポリビニルピロリドン／ビニルイミダゾールコポリマー（ＰＶＰ−ＶＩ）、ポリビニルピロリドン／ポリアクリル酸コポリマー（ＰＶＰ−ＡＡ）、ポリビニルピロリドン／酢酸ビニルコポリマー（ＰＶＰ−ＶＡ）、ポリアクリル酸ポリマー又はポリアクリル酸マレイン酸コポリマー、及びポリアクリル酸又はポリアクリル酸マレイン酸ホスホノ末端基コポリマー、並びにこれらの混合物からなる群から選択することができる。
【０１０１】
典型的には、液体硬質表面洗浄組成物は、全組成物の０．００５重量％〜５．０重量％、好ましくは０．１０重量％〜４．０重量％、より好ましくは０．１重量％〜３．０重量％、最も好ましくは０．２０重量％〜１．０重量％の当該ポリマーを含み得る。
【０１０２】
脂肪酸：液体硬質表面洗浄組成物は、非常に好ましい任意成分、特に抑泡剤として、脂肪酸を含み得る。脂肪酸は、液体組成物が塗布された表面から当該組成物をすすぎ落とすときの当該組成物の泡立ちを低減するので、本明細書において望ましい。
【０１０３】
好適な脂肪酸としては、Ｃ８〜Ｃ２４脂肪酸のアルカリ塩が挙げられる。かかるアルカリ塩としては、脂肪酸のナトリウム塩、カリウム塩、及び／又はリチウム塩のような完全飽和金属塩、並びに脂肪酸のアンモニウム塩及び／又はアルキルアンモニウム塩が挙げられ、好ましくはナトリウム塩である。本明細書における使用に好ましい脂肪酸は、８〜２２個、好ましくは８〜２０個、より好ましくは８〜１８個の炭素原子を含有する。好適な脂肪酸は、カプリル酸、カプリン酸、ラウリン酸、ミリスチン酸、パルミチン酸、ステアリン酸、オレイン酸、及び、植物又は動物エステルのような天然原料由来の、適宜硬化された脂肪酸（例えばパーム油、オリーブ油、ココヤシ油、大豆油、ヒマシ油、獣脂、グラウンドオイル、鯨油及び魚油、並びに／又はババスオイル）の混合物から選択することができる。例えば、ココナッツ脂肪酸は、ＰＡＬＭＥＲＡＢ１２１１の名称にてＫＬＫ  ＯＬＥＡから市販されている。
【０１０４】
典型的には、液体硬質表面洗浄組成物は、全組成物の６．０重量％以下の当該脂肪酸、好ましくは全組成物の０．１重量％〜３．０重量％、より好ましくは０．１重量％〜２．０重量％、最も好ましくは０．１５重量％〜１．５重量％の当該脂肪酸を含み得る。
【０１０５】
分枝状脂肪族アルコール：液体硬質表面洗浄組成物は、特に抑泡剤として、分枝状脂肪族アルコールを含み得る。適した分枝状脂肪族アルコールとしては、６〜１６、好ましくは７〜１３、より好ましくは８〜１２、最も好ましくは８〜１０個の炭素原子と、末端ヒドロキシ基とを含むアルキル鎖を有する２−アルキルアルカノールが挙げられ、上記アルキル鎖は、１〜１０、好ましくは２〜８、より好ましくは４〜６個の炭素原子を含むアルキル鎖により、α位（即ち位置番号２）にて置換されている。このような好適な化合物は、例えば、Ｓａｓｏｌから市販されている、Ｉｓｏｆｏｌ（登録商標）１２（２−ブチルオクタノール）又はＩｓｏｆｏｌ（登録商標）１６（２−ヘキシルデカノール）などのＩｓｏｆｏｌ（登録商標））シリーズとして市販されている。
【０１０６】
典型的には、液体硬質表面洗浄組成物は、全組成物の２．０重量％以下、好ましくは０．１０重量％〜１．０重量％、より好ましくは０．１重量％〜０．８重量％、最も好ましくは０．１重量％〜０．５重量％の当該分枝状脂肪族アルコールを含み得る。
【０１０７】
溶媒：液体硬質表面洗浄組成物は、好ましくは、溶媒を含む。好適な溶媒は、４〜１４個の炭素原子を有するエーテル類及びジエーテル類、グリコール類又はアルコキシ化グリコール類、アルコキシル化芳香族アルコール類、芳香族アルコール類、アルコキシル化脂肪族アルコール類、脂肪族アルコール類、Ｃ８〜Ｃ１４アルキル及びシクロアルキル炭化水素類及びハロ炭化水素類、Ｃ６〜Ｃ１６グリコールエーテル類、テルペン類、並びにこれらの混合物からなる群から選択され得る。
【０１０８】
その他の任意成分：液体硬質表面洗浄組成物は、目的とする技術的利点及び処理される表面に依存して、種々のその他の任意成分を含み得る。本明細書で用いるのに好適な任意成分としては、香料、ビルダー、その他のポリマー、緩衝剤、殺菌剤、ヒドロトロープ、着色剤、安定剤、ラジカルスカベンジャー、研磨剤、汚れ懸濁剤、光沢剤、防塵剤、分散剤、移染阻害剤、顔料、シリコーン、及び／又は染料が挙げられる。
【０１０９】
表面の洗浄方法：
コポリマーと好ましくは少なくとも１つの洗浄性界面活性剤とを含む液体硬質表面洗浄組成物、特に本発明の組成物は、家庭表面を洗浄するのに好適である。特に、このような組成物は、硬質表面、特に床の乾燥時間を短縮するのに特に有用である。好適な洗浄性界面活性剤は、アニオン性界面活性剤、非イオン性界面活性剤、及びこれらの混合物からなる群から選択され得る。
【０１１０】
普通の洗浄、特に床の洗浄にとって、好ましい洗浄方法は、
ａ）所望により、液体硬質表面洗浄組成物を希釈する工程と、
ｂ）当該液体硬質表面洗浄組成物を硬質表面に塗布する工程と、
ｃ）所望により、すすぐ工程と、を含む。
【０１１１】
液体硬質表面組成物は、スプレーとして処方することができる。このように、液体硬質表面洗浄組成物は、噴霧を介して硬質表面に塗布することができる。
【０１１２】
特定の実施形態では、液体硬質表面洗浄組成物を０．３体積％〜１．５体積％の濃度に希釈してよい。特に、液体硬質表面洗浄組成物が５重量％以上の合計界面活性剤濃度を有する場合、液体硬質表面洗浄組成物を０．４体積％〜０．６体積％の濃度に希釈してよい。液体硬質表面洗浄組成物が５重量％未満の合計界面活性剤濃度を有する場合、液体硬質表面洗浄組成物を０．７体積％〜１．４体積％の濃度に希釈してよい。好ましい実施形態では、液体硬質表面洗浄組成物を水で希釈する。
【０１１３】
希釈濃度は、希釈した組成物の合計量に対する、液体硬質表面洗浄組成物部分として定義される体積％として表される。例えば、５体積％の希釈濃度は、液体硬質表面洗浄組成物５０ｍＬが希釈組成物１０００ｍＬを形成するよう希釈されることに等しい。
【０１１４】
希釈組成物は、モップ、スポンジ、又はその他の好適な用具を使用することを含む任意の好適な手段により適用することができる。
【０１１５】
任意の更なる工程において、硬質表面を、好ましくはきれいな水を用いて洗い流してもよい。コポリマーと少なくとも１つのその他の洗浄性界面活性剤とを含む液体硬質表面洗浄組成物、特に本発明の組成物は、硬質表面に塗布された希釈された組成物、また、更なる工程として適用された任意のすすぎ溶液の乾燥時間（いずれも乾燥させるために放置したとき、また、布などで拭き取ったとき）を改善する。
【０１１６】
あるいは、特に、とりわけ汚い又は油っぽい箇所については、コポリマーと少なくとも１つのその他の洗浄性界面活性剤とを含む液体硬質表面洗浄組成物、特に本発明の組成物を未希釈で硬質表面に塗布してもよい。コポリマーによってもたらされる改善された表面湿潤の結果、汚れ、特に油汚れの浸透が改善され、界面活性作用及び汚れ除去の改善につながると考えられる。
【０１１７】
「未希釈」とは、液体組成物が何らかの著しい希釈を受けることなく、処理される表面に直接塗布されること、即ち、組成物を最初に希釈することなく、直接又はスポンジ等の用具を用いてのいずれかにより、本明細書の液体組成物が本明細書に記載されるように硬質表面に塗布されることと理解されるべきである。「著しい希釈」とは、組成物が、組成物の１０重量％未満、好ましくは５重量％未満、より好ましくは３重量％未満まで希釈されることを意味する。このような希釈は、水気のある用具を使用して、組成物を硬質表面、例えば「絞って」乾燥させたスポンジ等に塗布することにより行うことができる。
【０１１８】
本発明の別の好ましい実施形態では、硬質表面を洗浄する当該方法は、当該硬質表面上に当該液体組成物を塗布する、好ましくは噴霧する工程と、当該液体組成物を所定時間にわたって当該表面に作用するように残し、機械的動作を作用させて又は作用させることなく当該組成物を作用させる工程と、任意に当該液体組成物を除去する、好ましくは、当該硬質表面を水で洗い流す、及び／又は当該硬質表面を、例えばスポンジ、紙、又は布タオルなどの適切な器具で拭くことによって当該液体組成物を除去する工程と、を含む。
【０１１９】
また、本発明の組成物は、表面の光沢を改善するために使用することもできるが、その理由は、本発明のビーディング（beading）の結果、処理された表面上における残渣の形成が少なくなり、また、表面を拭いたときにより多くの残渣が除去されるためである。
【０１２０】
方法：
Ａ）ｐＨ測定：
ｐＨは、取扱説明書に従って較正したジェル充填プローブ（例えばＴｏｌｅｄｏプローブ、部品番号５２  ０００  １００）付きのＳａｒｔａｒｉｕｓ  ＰＴ−１０Ｐ  ｐＨメータを用いて、２５℃で、未希釈組成物に対して測定される。
【０１２１】
Ｂ）乾燥時間：
乾燥試験は、黒色光沢タイル（Ｓｐｈｉｎｘ  Ｈｉｇｈｌｉｇｈｔ  Ｂｌａｃｋ、２０ｃｍ×２０ｃｍ、Ｃａｒｏｂａｔｉ  Ｂｏｏｍｓｅｓｔｅｅｎｗｅｇ  ３６，２６３０  Ａａｒｔｓｅｌａａｒ，Ｂｌｅｇｉｕｍから入手可能）である標準試験面上で行われる。黒色タイルを、ポリマーを全く含有しない汎用洗浄剤（Ｍｒ．Ｐｒｏｐｒｅ  ＡＰＣ、市販）で洗浄し、いかなる残渣もなくなるまで水道水で十分にすすぐ。次いで、タイルを紙タオルで乾燥させる。次いで、タイルを、垂直に（５度以下のわずかな傾きあり）置き、好適な支持体上に載せた。
【０１２２】
次いで、プラスチック製の使い捨てピペットを使用して、３ｍＬの溶液を、左上から右上の角まで素早く動かしながらタイル上に塗布する。次いで、セルローススポンジを使用して、少なくとも４回縦方向に、続いて４回横方向に動かして、製品を直ちにタイルの表面全体に均一に広げる。（スポンジは、実験前に、洗浄剤を全く使用せずに、家庭用洗濯機で９５℃にて３回洗浄されていた）。当該製品を１５秒間表面上に残存させた。
【０１２３】
この時間が経過したら、次いで、４Ｌ／分の水流のシャワーヘッドを使用して３０秒間タイルを十分にすすぐ。次いで、タイルを乾燥させて、水が蒸発するのにかかる時間を測定する。タイルが乾燥したら、本発明の組成物で洗浄されたタイルの光沢を、基準組成物で洗浄されたタイルの光沢と比較する。０〜５の目視格付けシステムを使用し、０は完璧な輝き及び清潔な表面を意味し、５は、視認できるスジ及び水の跡のある曇った表面を意味する。
【０１２４】
次いで、すすぎ工程を繰り返し、これらを乾燥させるのにかかる時間を測定し、乾燥したら光沢を評価する。タイルは２０℃及び相対湿度４０％の制御された温度及び湿度の室内で乾燥させる。この手順を２回繰り返し、平均値を報告する。
【実施例】
【０１２５】
本発明の組成物で得られる、より短い乾燥時間及び改善された光沢を明らかにするために、次のプロトコルに従った。３つの組成物：本発明にかかる組成物Ａ及びＢ、並びに本発明の範囲外の基準組成物としての組成物Ｃを調製した。当該組成物は、５００ｒｐｍで磁気的に撹拌しながらガラスビーカー内で調製する。値は活性原料の百分率として報告される。
【０１２６】
【表１】
2019513863.tif 000005
１  非イオン性界面活性剤は、ＳｈｅｌｌからＮｅｏｄｏｌ（登録商標）９１−８として調達されるＣ９〜Ｃ１１  ＥＯである。
２  アニオン性界面活性剤はＨＬＡＳである。
３  ＡｋｚｏＮｏｂｅｌから調達されるトップドパーム核脂肪酸。
４  メタクリル酸及びアクリル酸エステルに基づくコポリマー、ＢＡＳＦ製のＲｈｅｏｖｉｓ（登録商標）ＡＴ  １２０
５  ジエチレントリアミンペンタ（メチレンホスホン酸）ナトリウム塩、Ｄｅｑｕｅｓｔ（登録商標）−２０６０として
６  ＳａｓｏｌからＩｓｏｆｏｌ  １２（登録商標）として調達される。
７  １，２−ベンズイソチアゾリン−３−オンは、Ｐｒｏｘｅｌ（登録商標）ＧＸＬとして調達される。
８  ポリマーＡは、８０／１０／１０重量パーセント及び７９，２００ｇ／モルのＭＰＥＧ−２５ＥＯ／ＱＶＩ／ＶＩである。
９  ポリマーＢは、９０／５／５重量パーセント及び５２，４２５ｇ／モルのＭＰＥＧ−２５ＥＯ／ＱＶＩ／ＶＩである。
【０１２７】
得られた乾燥時間及び光沢の結果を以下に報告する。
【０１２８】
【表２】
2019513863.tif 000006
【０１２９】
結果は、基準に対して、５回すすいだ後でさえも乾燥時間が短縮され、光沢が改善したことを明らかに示す。
【０１３０】
（実施例）
ポリマー合成
コポリマーの分子量を決定するためのＧＰＣ（ＳＥＣ）方法：
ポリマーの重量平均分子量は、サイズ排除クロマトグラフィー（Size Exclusion Chromatography、ＳＥＣ）技術によって決定される。ＳＥＣ分離条件は、３５℃における０，１％（ｗ／ｗ）トリフルオロ酢酸／０，１Ｍ  ＮａＣｌの存在下、蒸留水中の３つの親水性ビニルポリマーネットワークゲルカラムであった。較正は、分子量Ｍｗ＝６２０〜Ｍ＝２．０７０．０００の狭分散ポリ（２−ビニルピリジン）標準品（ＰＳＳ社、Ｄｅｕｔｓｃｈｌａｎｄ）を使用して実施した。
【０１３１】
本発明にかかる代表的ポリマー：ＭＰＥＧ−ＥＯ  ２５単位／ビニルイミダゾール／メチル−ビニル−イミダゾリウム、８０／１５／５重量％。
【０１３２】
２Ｌの撹拌槽に、水（１９９ｇ）を入れ、窒素流下で８５℃に加熱した。水（４７ｇ）中Ｗａｋｏ  Ｖ５０（３ｇ、和光純薬株式会社）の溶液を４時間かけて添加し、分子量~１０００ｇ／モルのメトキシポリエチレングリコールメタクリレート（５０％、４８４，８ｇ、Ｂｉｓｉｏｍｅｒ  Ｓ１０Ｗ、ＧＥＯ  Ｓｐｅｃｉａｌｔｙ  Ｃｈｅｍｉｃａｌｓ）及び３−メチル−１−ビニル−１Ｈ−イミダゾリウム−メチル−スルフェート（４５％、３３，３ｇ、ＢＡＳＦ  ＳＥ）、及び１−ビニルイミダゾール（４５ｇ）、及び水（１７７，６ｇ）の溶液を３時間かけて添加する。３つのストリームが完了した後、重合混合物をこの温度で更に３０分間維持する。続いて、水（２３，５ｇ）中Ｗａｋｏ  Ｖ５０（１，５ｇ）の溶液を一度に加え、反応物を２時間撹拌した。その後、反応物を室温に冷却した。上記方法に従って測定されたＧＰＣから、Ｍｗ＝６０，３００ｇ／モルの値が得られる。
【０１３３】
本明細書に記載されるコポリマーは、以下の実施例Ｄ〜Ｌに例示される組成物を含む液体硬質表面洗浄組成物で使用するのに特に好適である。
【０１３４】
【表３】
2019513863.tif 000007
１  Ｓｈｅｌｌから市販されている非イオン性界面活性剤
２  ＩＣＩ又はＳｈｅｌｌから市販されている非イオン性界面活性剤
３  ＢＡＳＦから市販されている非イオン性界面活性剤
４  Ｓａｓｏｌから市販されている非イオン性界面活性剤
５  Ｈｕｎｔｓｍａｎから市販されている直鎖アルキルベンゼンスルホン酸ナトリウム
６  ＩＣＳから市販されているパラフィンスルホン酸ナトリウム
７  Ｈｕｎｔｓｍａｎから市販されているアミンオキシド非イオン性界面活性剤
８  ＭＣ  Ｉｎｔｙｒｅグループから市販されている両性界面活性剤
９  コポリマー、例えば、８０／１５／５  ＭＰＥＧ  ＥＯ２５／ＶＩ／ＱＶＩ  Ｍｗ＝６０，３００ｇ／モル、又は８０／２０  ＭＰＥＧ  ＥＯ４５／ＱＶＩ、Ｍｗ＝１４３，０００ｇ／モル、又は９５／０５  ＭＰＥＧ  ＥＯ４５／ＱＶＩ、Ｍｗ＝１０，８００ｇ／モル、又は８０／２０  ＭＰＥＧ  ＥＯ４５／ＱＶＩ、Ｍｗ＝１００，０００ｇ／モル、又は８０／２０  ＭＰＥＧ  ＥＯ４５／ＱＶＩ、ＭＷ＝１７９，０００ｇ／モル
１０  ＢＡＳＦから市販されているＲｈｅｏｖｉｓ（登録商標）ＡＴ  １２０
１１  疎水変性ヒドロキシエチルセルロース（セチルヒドロキシエチルセルロール）
１２  ＣＰ  Ｋｅｌｃｏから市販されている
１３  ＳａｓｏｌからＩｓｏｆｏｌ  １２（登録商標）として市販されている
１４  ＳａｓｏｌからＩｓｏｆｏｌ  １６（登録商標）として市販されている
１５  Ｍｏｎｓａｎｔｏから入手可能なジエチレントリアミンペンタメチレンホスホネート
１６  ＢＡＳＦから入手可能なジエチレントリアミン五酢酸
１７  Ａｋｚｏ  Ｎｏｂｅｌから市販されているグルタミン酸二酢酸四ナトリウム
１８  ＪＴ  Ｂａｋｅｒから市販されているイソプロパノール
１９  Ｄｏｗ  Ｃｈｅｍｉｃａｌｓから市販されているブトキシプロポキシプロパノール
２０  Ｄｏｗ  Ｃｈｅｍｉｃａｌｓから市販されているノルマルブトキシプロパノール
【０１３５】
本明細書に開示した寸法及び値は、記載された正確な数値に厳密に限定されるものと理解されるべきではない。むしろ、特に指示がない限り、そのような各寸法は、記載された値及びその値の周辺の機能的に同等の範囲の両方を意味するものとする。例えば、「４０ｍｍ」として開示される寸法は、「４０ｍｍ」を意味することが意図される。
【国際調査報告】
2019513863.tif 000010
2019513863.tif 000011
2019513863.tif 000012